【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
を備え、
前記符号化された複数のサブブロックを送信すること、ここにおいて、前記第１の符号化されたサブブロックのサイズが前記第２の符号化されたサブブロックのサイズとは異なり、前記第１のサブブロックの前記サイズが、基準信号（ＲＳ）に対する前記第１のサブブロックの第１の位置に基づき、前記第２のサブブロックの前記サイズが、前記基準信号に対する前記第２のサブブロックの第２の位置に基づく、
を特徴とする、ワイヤレス通信の方法。
【請求項２】
前記第１のサブブロックの前記サイズが前記第２のサブブロックの前記サイズよりも小さく、前記符号化することが、第１のコードレートで前記第１のサブブロックを符号化することと、第２のコードレートで前記第２のサブブロックを符号化することとを備え、前記第１のコードレートが前記第２のコードレートよりも低い、請求項１に記載の方法。
【請求項３】
データトランスポートブロックに関連する複数の符号化されたサブブロックを受信することと、前記複数の符号化されたサブブロックが少なくとも第１の符号化されたサブブロックと第２の符号化されたサブブロックとを備え、前記第１の符号化されたサブブロックのサイズが前記第２の符号化されたサブブロックのサイズとは異なり、前記第１のサブブロックの前記サイズが、基準信号（ＲＳ）に対する前記第１の符号化されたサブブロックの第１の位置に基づき、前記第２のサブブロックの前記サイズが、前記基準信号に対する前記第２のサブブロックの第２の位置に基づく、
少なくとも前記第１の符号化されたサブブロックと前記第２の符号化されたサブブロックとを復号することとを備える、ワイヤレス通信の方法。
【請求項４】
前記第１の符号化されたサブブロックの前記サイズが、前記第２の符号化されたサブブロックの前記サイズよりも小さく、
前記第１の符号化されたサブブロックのコードレートが、前記第２の符号化されたサブブロックのコードレートよりも低い、請求項３に記載の方法。
【請求項５】
メモリと、
前記メモリに結合された少なくとも１つのプロセッサとを備え、前記少なくとも１つのプロセッサは、
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
を行うように構成され、
前記少なくとも１つのプロセッサは、
前記符号化された複数のサブブロックを送信すること、ここにおいて、前記第１の符号化されたサブブロックのサイズが前記第２の符号化されたサブブロックのサイズとは異なり、前記第１のサブブロックの前記サイズが、基準信号（ＲＳ）に対する前記第１のサブブロックの第１の位置に基づき、前記第２のサブブロックの前記サイズが、前記基準信号に対する前記第２のサブブロックの第２の位置に基づく、を行うように構成されることを特徴とする、ワイヤレス通信のための装置。
【請求項６】
前記第１のサブブロックの前記サイズが前記第２のサブブロックの前記サイズよりも小さく、前記複数のサブブロックを符号化するように構成された前記少なくとも１つのプロセッサが、第１のコードレートで前記第１のサブブロックを符号化することと、第２のコードレートで前記第２のサブブロックを符号化することとを行うように構成され、前記第１のコードレートが前記第２のコードレートよりも低い、請求項５に記載の装置。
【請求項７】
メモリと、
前記メモリに結合された少なくとも１つのプロセッサとを備え、前記少なくとも１つのプロセッサは、
データトランスポートブロックに関連する複数の符号化されたサブブロックを受信することと、前記複数の符号化されたサブブロックが少なくとも第１の符号化されたサブブロックと第２の符号化されたサブブロックとを備え、前記第１の符号化されたサブブロックのサイズが前記第２の符号化されたサブブロックのサイズとは異なり、前記第１のサブブロックの前記サイズが、基準信号（ＲＳ）に対する前記第１の符号化されたサブブロックの第１の位置に基づき、前記第２のサブブロックの前記サイズが、前記基準信号に対する前記第２のサブブロックの第２の位置に基づく、
少なくとも前記第１の符号化されたサブブロックと前記第２の符号化されたサブブロックとを復号することとを行うように構成された、ワイヤレス通信のための装置。
【請求項８】
前記第１の符号化されたサブブロックの前記サイズが、前記第２の符号化されたサブブロックの前記サイズよりも小さく、
前記第１の符号化されたサブブロックのコードレートが、前記第２の符号化されたサブブロックのコードレートよりも低い、請求項７に記載の装置。
【請求項９】
ワイヤレス通信のためにコンピュータ実行可能なコードを記憶するコンピュータ可読媒体であって、
データトランスポートブロックを生成することと、
前記データトランスポートブロックを複数のサブブロックに分割することと、前記複数のサブブロックが少なくとも第１のサブブロックと第２のサブブロックとを備え、前記第１のサブブロックのサイズが前記第２のサブブロックのサイズとは異なる、
前記複数のサブブロックを符号化することと、
を行うためのコードを備え、
前記符号化された複数のサブブロックを送信すること、ここにおいて、前記第１の符号化されたサブブロックのサイズが前記第２の符号化されたサブブロックのサイズとは異なり、前記第１のサブブロックの前記サイズが、基準信号（ＲＳ）に対する前記第１のサブブロックの第１の位置に基づき、前記第２のサブブロックの前記サイズが、前記基準信号に対する前記第２のサブブロックの第２の位置に基づく、を行うためのコードを備えることを特徴とする、コンピュータ可読媒体。
【請求項１０】
前記第１のサブブロックの前記第１のコードレートが、基準信号（ＲＳ）に対する前記第１のサブブロックの前記第１の位置に基づき、前記第２のサブブロックの前記第２のコードレートが、前記基準信号に対する前記第２のサブブロックの前記第２の位置に基づく、請求項２に記載の方法。
【請求項１１】
前記第１のサブブロックの前記第１のコードレートが、基準信号（ＲＳ）に対する前記第１の符号化されたサブブロックの前記第１の位置に基づき、前記第２の符号化されたサブブロックの前記第２のコードレートが、前記基準信号に対する前記第２のサブブロックの前記第２の位置に基づく、請求項４に記載の方法。
【請求項１２】
前記第１のサブブロックの前記第１のコードレートが、基準信号（ＲＳ）に対する前記第１のサブブロックの前記第１の位置に基づき、前記第２のサブブロックの前記第２のコードレートが、前記基準信号に対する前記第２のサブブロックの前記第２の位置に基づく、請求項６に記載の装置。
【請求項１３】
前記第１のサブブロックの前記第１のコードレートが、基準信号（ＲＳ）に対する前記第１の符号化されたサブブロックの前記第１の位置に基づき、前記第２の符号化されたサブブロックの前記第２のコードレートが、前記基準信号に対する前記第２のサブブロックの前記第２の位置に基づく、請求項８に記載の装置。
【請求項１４】
前記第１のサブブロックが、第１のコードレートで符号化され、前記第２のサブブロックが、第２のコードレートで符号化され、
前記第１のサブブロックの前記第１のコードレートが、基準信号（ＲＳ）に対する前記第１のサブブロックの前記第１の位置に基づき、前記第２のサブブロックの前記第２のコードレートが、前記基準信号に対する前記第２のサブブロックの前記第２の位置に基づく、請求項９に記載のコンピュータプログラム製品。
【請求項１５】
ワイヤレス通信のためにコンピュータ実行可能なコードを記憶するコンピュータ可読媒体であって、
データトランスポートブロックに関連する複数の符号化されたサブブロックを受信することと、前記複数の符号化されたサブブロックが少なくとも第１の符号化されたサブブロックと第２の符号化されたサブブロックとを備え、前記第１の符号化されたサブブロックのサイズが前記第２の符号化されたサブブロックのサイズとは異なり、前記第１のサブブロックの前記サイズが、基準信号（ＲＳ）に対する前記第１の符号化されたサブブロックの第１の位置に基づき、前記第２のサブブロックの前記サイズが、前記基準信号に対する前記第２のサブブロックの第２の位置に基づく、
少なくとも前記第１の符号化されたサブブロックと前記第２の符号化されたサブブロックとを復号することとを行うためのコードを備える、コンピュータ可読媒体。